(57)【要約】【課題】携帯電話機などの電子機器において、操作性の簡便さを維持しつつ部品点数の削減を可能としたカバー構造を提供する。【解決手段】電気部品３１を覆うカバー４を回転軸４２を中心に回転自在に、ケース１に軸支し、このカバー４を常時閉状態になるようにバネ５で付勢しておく。このとき、ケース１に設けられた凸部１３に、カバー４の裏面における凹部４５の当接部４７が当接して、カバー４の閉状態位置が定まる。また、カバー４を、バネ５の付勢力に抗して開状態に回転させると、カバー４の凹部４５のストッパ部４６が凸部１３を乗り越えて、両者が当接して開状態の位置に規定される。カバー４を閉状態に戻すには、回転軸４２の軸方向にカバー４を移動させると、ストッパ部４６と凸部１３との当接が解除されて、バネ５の付勢力で閉状態に復帰する。【選択図】　　　図３【特許請求の範囲】
【請求項１】
装置筐体に取付けられ筐体内の収容物の覆いをなすためのカバー構造であって、
回転自在に前記筐体に軸支されたカバーと、
このカバーを常時閉状態に付勢する付勢部材と、
前記カバーの閉状態及び開状態の両位置を定めるべく前記筐体に取付けられて前記カバーの回転を規制する規制部材と、
前記カバーに設けられ前記閉状態において前記規制部材に当接する当接部と、
前記カバーに設けられ前記付勢部材の付勢力に抗する外力により前記規制部材を乗り越えて当該規制部材に当接するストッパ部と、
含むことを特徴とするカバー構造。
【請求項２】
前記カバーはその回転軸の軸方向に移動自在でかつ前記筐体へ圧接する方向に付勢されており、前記開状態から前記閉状態への遷移時には、この筐体への圧接方向とは逆方向の外力により前記ストッパ部が前記規制部材を乗り越え得るようにしたことを特徴とする請求項１記載のカバー構造。
【請求項３】
前記付勢部材は、前記閉状態への付勢力と前記筐体への圧接付勢力とを発生するバネであることを特徴とする請求項２記載のカバー構造。
【請求項４】
前記カバーの裏面において、前記当接部と前記ストッパ部との間に、前記規制部材が挿入される凹部が設けられていることを特徴とする請求項１〜３いずれか記載のカバー構造。
【請求項５】
前記ストッパ部は、前記付勢部材の付勢力に抗する外力により前記規制部材を乗り越える場合に、乗り越え容易なテーパ形状とされていることを特徴とする請求項１〜４いずれか記載のカバー構造。
【請求項６】
前記ストッパ部は、前記付勢部材の付勢力に抗する外力により前記規制部材を乗り越える場合に、乗り越え容易な弾性部材とされていることを特徴とする請求項１〜４いずれか記載のカバー構造。
【請求項７】
前記収容物は撮像装置であることを特徴とする請求項１〜６いずれか記載のカバー構造。
【請求項８】
請求項１〜７いずれか記載のカバー構造を有することを特徴とする電子機器。
【請求項９】
携帯電話機であることを特徴とする請求項８記載の電子機器。
【発明の詳細な説明】
【０００１】
【発明の属する技術分野】
本発明はカバー構造及びそれを用いた電子機器に関し、特に電子機器などの装置筐体に取付けられ筐体内の収容物の覆いをなすためのカバー構造の改良に関するものである。
【０００２】
【従来の技術】
電子機器においては、装置筐体内に収容されている収容物のうち、常時はカバーにより遮蔽しておき、必要に応じてそのカバーを開けて収容物をオペレータが操作したりするような場合がある。例えば、カメラ付の携帯電話機を例にとると、画像を写す必要がない場合には、カメラの撮像部分をカバーで覆って保護しておき、画像を写す必要がある場合にのみ、カバーを開けて、使用するような場合である。
【０００３】
このようなカバー付き電子機器では、通常時に隠蔽しておきたい機能等を保護することが重要な要素の一つとなっている。この目的のために、通常カバーを設け、使用時には取り外して、非使用時に取り付けるという手法が採用されている。
【０００４】
【発明が解決しようとする課題】
しかしながら、このような手法では、カバーを紛失したり、カバーの取り外し取り付けが面倒であったりという問題があった。そこで、例えば、実開平０３−０９７０５４号公報には、スライドする蓋構造が開示されている。この技術によれば、傾斜板バネを使用しているので、ロック機構において一応の効果を奏しているものの、部品点数が多く、コストがかかるという問題を有している。そこで、このようなスライドするカバー構造では、操作性の簡便さと、部品点数の削減とが望まれており、結果的に低コストのカバー構造の出現が強く望まれているのである。
【０００５】
そこで、本発明はこの様な要求を満たすべくなされたものであって、その目的とするところは、操作性の簡便さを維持しつつ部品点数の削減を可能としたカバー構造及びそれを用いた電子機器を提供することにある。
【０００６】
すなわち、本発明の目的は、簡単な構造で、必要時には容易に開けることができ、かつ開けた状態を維持することができ、また不要時には容易に閉めることができ、かつ閉めた状態を維持することができるカバー構造及びそれを用いた電子機器を提供することである。
【０００７】
【課題を解決するための手段】
本発明によるカバー構造は、装置筐体に取付けられ筐体内の収容物の覆いをなすためのカバー構造であって、回転自在に前記筐体に軸支されたカバーと、このカバーを常時閉状態に付勢する付勢部材と、前記カバーの閉状態及び開状態の両位置を定めるべく前記筐体に取付けられて前記カバーの回転を規制する規制部材と、前記カバーに設けられ前記閉状態において前記規制部材に当接する当接部と、前記カバーに設けられ前記付勢部材の付勢力に抗する外力により前記規制部材を乗り越えて当該規制部材に当接するストッパ部と含むことを特徴とする。
【０００８】
そして、前記カバーはその回転軸の軸方向に移動動自在でかつ前記筐体へ圧接する方向に付勢されており、前記開状態から前記閉状態への遷移時には、この筐体への圧接方向とは逆方向の外力により前記ストッパ部が前記規制部材を乗り越え得るようにしたことを特徴とする。
【０００９】
また、前記付勢部材は、前記閉状態への付勢力と前記筐体への圧接付勢力とを発生するバネであることを特徴とする。また、前記カバーの裏面において、前記当接部と前記ストッパ部との間に、前記規制部材が挿入される凹部が設けられていることを特徴とする。また、前記ストッパ部は、前記付勢部材の付勢力に抗する外力により前記規制部材を乗り越える場合に、乗り越え容易なテーパ形状とされているか、または弾性部材とされていることを特徴とする。
【００１０】
そして、前記収容物は撮像装置であることを特徴とし、また撮像装置を搭載した携帯電話機であることを特徴としている。
【００１１】
【発明の実施の形態】
以下に図面を参照しつつ本発明の実施例を詳述する。図１は本発明のカバー構造を適用した電子機器の外観斜視図であってカバーが閉状態の場合のものであり、図２はカバーが開状態の外斜視図である。また、図３は図１及び図２に示した電子機器の分解斜視図である。これ等各図において、同等部分は同一符号にて示している。
【００１２】
本発明が適用される電子機器は、装置筐体として、前ケース１と後ケース２とを有している。筐体内部には、電気部品３１が実装されたプリント基板３が設けられており、これ等前ケース１と後ケース２との間に、このプリント基板３が挟止されている。前ケース１の電気部品穴１１には、常時はカバー４で遮蔽すべき電気部品３１が挿入されている。前ケース１には、電気部品穴１１の近傍に、カバー４の回転軸４２を挿入するためのカバー穴１２が備えられている。
【００１３】
カバー４は、概略扇型のカバー本体４１と、回転軸４２とを有しており、この回転軸４２は扇型のカバー本体４１の頂点部分（扇型の中心位置）に設けられている。そして、前ケース１の内側には、カバー支え１４が設けられ、このカバー支え１４には、穴１５が設けられている。これ等カバー穴１２と穴１５とに、回転軸４２を挿入することにより、カバー４はこの回転軸４２を中心に回転自在に、前カバー１のカバー支え１４にて軸支されることになる。
【００１４】
なお、回転軸４２の先端は切り欠き４３が具備され、その先にはカバーフック４４が設けられており、これにより、回転軸４２の先端が穴１５に挿入される時には、切り欠き４３の作用により、回転軸４２の穴１５への挿入が円滑化され、逆に、拔去しようとする時には、カバーフック４４の作用によって拔去が困難となる様になっている。。
【００１５】
カバー本体４１の裏面には、カバー凹部４５が設けられており、このカバー凹部４５の一端部には、ストッパ部４６が備えられている。また、前ケース１の表面には、凸部１３が取付けられており、カバー凹部４５にこの凸部１３が嵌め込まれる様になっている。
【００１６】
バネ５は、その一端がバネ本体５１の外形から伸びたケースアーム５２となっており、その他端がバネ本体５１の直径方向内側に伸びたカバーアーム５３となっている。前ケース１の内側には、バネフック１６が設けられており、このバネ５に回転軸４２が挿入され、この回転軸の先端の切り欠き４３に、バネ５のカバーアームが挿入され、またバネ５のケースアーム５２がバネフック１６に係合される様になっている。
【００１７】
その結果、このバネ５の作用により、カバー４は図１に示す閉状態の位置に常時付勢されることになる。よって、カバー４のカバー凹部４５が、前ケース１のケース凸部１３に当接するところ（当接部４７）で、カバー４は閉じた状態を維持することができる。
【００１８】
また、カバー４を図２に示す様に開ける場合、カバー４をバネ５の付勢力に抗して、オペレータが回転軸４２を中心に回転させる。この時、カバー４のストッパ部４６が前ケース１の凸部１３を乗り越えたところでこの凸部１３に当接するたるために、カバー４を開けた状態を維持できることになる。よって、凸部１３は、カバー４の閉状態及び開状態の両位置を定めるためにカバー回転を規制する規制部材となる。
【００１９】
また、カバー４は、バネ５の作用により、回転軸４２の軸方向に移動自在であるので、カバー４を開けた状態から閉じる場合には、オペレータがカバー４を回転軸４２の方向に引っ張る力を加えることにより、カバー４のストッパ部４６は、凸部１３を乗り越えるので、後は、バネ５の復元力（付勢力）により容易に閉じることが可能である。
【００２０】
これにより、必要時には容易に開けることができ、かつ開けた状態を維持することができ、また不要時には容易に閉めることができ、かつ閉めた状態を維持することができることになるのである。
【００２１】
なお、図１の閉状態から図２の開状態への遷移時において、凸部１３をカバー４のストッパ部４６が乗り越える際に、その乗り越え動作をよりスムーズとするには、ストッパ部４６を弾性変形自在な材質で構成するか、または図４に示す様に、ストッパ部４６にテーパを設けることが考えられる。
【００２２】
図４は本発明を適用したカメラ機能（撮像装置）を有する電子機器の外観斜視図であり、図５はその分解斜視図である。これ等図において、図１〜３と同等部分は同一符号にて示している。このカメラ機能を有する電子機器は、筐体内部にカメラユニット３２が実装されたプリント基板３が具備され、前ケース１のカメラ穴１１にこのカメラユニット３２が実装されている。
【００２３】
かかる構成おいて、カバー４は回転軸４２の回転方向において常に閉じる方向の付勢力がバネ５によって与えられる。よって、カバー４のカバー凹部４５が前ケース１のケース凸部１３に当たるところ（当接部４７）で、カバー４は閉じた状態を維持することが出来る。また、カバー４を開ける場合、カバー４は回転軸４２を中心に回転させる。この時、カバー４のストッパ部４６が前ケース１の凸部１３を乗り越えたところで、このストッパ部４６と凸部１３とが当接するために、カバー４を開けた状態を維持できる。
【００２４】
また、カバー４を開けた状態から閉じる場合、先の実施例と同様に、カバー４を回転軸４２の軸方向に引っ張る力を加えれば、容易に閉じることが出来る。
【００２５】
こうすることにより、必要時には容易に開けることができ、かつ開けた状態を維持することができ、また不要時には容易に閉めることができ、かつ閉めた状態を維持することができる。不要時にカメラをカバーで覆うことにより、ゴミの付着を妨げ、カメラのレンズの傷つき防止をすることができる。
【００２６】
上記実施例において、カメラユニット３２に代えて、操作用の押しボタンとしてもよいことは勿論てある。必要時には容易に開けることができ、かつ開けた状態を維持することができ、また不要時には容易に閉めることができ、かつ閉めた状態を維持することができる。また、不要時に押しボタンをカバーで覆うことにより、このボタンと前ケースとの隙間からのゴミの侵入を妨げ、また押しボタンの誤操作防止をすることができる。
【００２７】
図４及び図５の実施例では、カメラを有する電子機器に適用したが、カメラ付き携帯電話についても、同様に適用することができる。その構成を図６に示す。図６は本発明を適用したにカメラ付き携帯電話機の外観斜視図であり、上記各図と同等部分は同一符号により示している。なお、１７はカメラ穴である。
【００２８】
このカメラ付きの携帯電話では、先の実施例と同様に、カバー４は回転軸４２の回転方向において常に閉じる方向の付勢力がバネ５によって与えられる。よって、カバー４のカバー凹部４５が前ケース１のケース凸部１３に当たるところで、カバー４は閉じた状態を維持することが出来る。またカバー４を開ける場合、カバー４を回転軸４２を中心に回転させる。この時、カバー４のストッパ部４６が前ケース１の凸部１３を乗り越えたところで当たるため、カバー４を開けた状態を維持できる。また、カバー４を開けた状態から閉じる場合、カバー４を軸方向に引っ張る力を加えれば、容易に閉じることが出来る。
【００２９】
これにより、必要時には容易に開けることができ、かつ開けた状態を維持することができ、また不要時には容易に閉めることができ、かつ閉めた状態を維持することができる。不要時にカメラをカバーで覆うことにより、ゴミの付着を妨げ、カメラのレンズの傷つき防止をすることができる。
【００３０】
また、携帯電話機のカメラのカバーのみならず、先に述べた様に、操作用の押しボタンのカバーにも使用することができることは勿論である。
【００３１】
【発明の効果】
以上述べた様に、本発明によれば、極めて簡単な構造により、必要時には容易に開けることができ、かつ開けた状態を維持することができ、また不要時には容易に閉めることができ、かつ閉めた状態を維持することができるという効果がある。
【図面の簡単な説明】
【図１】本発明の一実施例のカバー閉状態を示す外観斜視図である。
【図２】本発明の一実施例のカバー開状態を示す外観斜視図である。
【図３】本発明の一実施例の分解斜視図である。
【図４】本発明の他の実施例（カメラ機能を有する電子機器）のカバー閉状態を示す外観斜視図である。
【図５】本発明の他の実施例（カメラ機能を有する電子機器）の分解斜視図である。
【図６】本発明の更に他の実施例（カメラ付き携帯電話機）の外観斜視図である。
【符号の説明】
１　筐体の前ケース
２　筐体の後ケース
３　プリント基板
４　カバー
５　バネ
１１　電気部品穴
１２　カバー穴
１３　ケース凸部
１４　カバー支え
１５　穴
１６　バネフック
１７　カメラ穴
３１　電気部品
３２　カメラユニット
４１　カバー本体
４２　回転軸
４３　切り欠き
４４　カバーフック
４５　カバー凹部
４６　ストッパ部
４７　当接部
５１　バネ本体
５２　ケースアーム
５３　カバーアーム
【図１】
2004055630.tif 000002
【図２】
2004055630.tif 000003
【図３】
2004055630.tif 000004
【図４】
2004055630.tif 000005
【図５】
2004055630.tif 000006
【図６】
2004055630.tif 000007